(57)【要約】      （修正有）【課題】可溶体部の数量の相異により透明カバーにより覆う窓部の寸法が多種化しても、前記透明カバーの種類の増加を抑止する。【解決手段】透明カバー３０は第１カバー部材３２と第２カバー部材３３とに分割されて構成され、第１カバー部材３２は、一側から窓部２４に挿入装着されて窓部２４の特定仕切り壁２６よりも一側に配置されている可溶体部１２ａ，１２ｂの表裏を覆うと共に特定仕切り壁２６の表面側のカバー係止部２６ａにより窓部２４に結合され、第２カバー部材３３は、他側から窓部２４に挿入装着されて特定仕切り壁２６よりも他側に配置されている可溶体部１２ｃ，１２ｄの表裏を覆うと共に特定仕切り壁２６の裏面側のカバー係止部２６ａにより窓部２４に結合される。【選択図】図１
2013038009.tif 000002
【特許請求の範囲】
【請求項１】
定格以上の電流が流れた時に溶断する複数の可溶体部を並列状態に備えたヒューズエレメントと、前記ヒューズエレメントを収容すると共に前記複数の可溶体部の表裏両面を露出させた窓部を有したヒューズハウジングと、前記窓部に装着されて前記複数の可溶体部を外部から視認可能に覆う透明カバーと、を備えるヒューズユニットであって、
前記窓部は、隣接する可溶体部間を横断して隣接する可溶体部を隔絶する少なくとも一つの仕切り壁と、一つの前記仕切り壁の表面側及び裏面側にそれぞれ装備されるカバー係止部と、を備え、
前記透明カバーは、同一構造又は前記窓部への挿入方向の長さのみが異なる類似構造となる複数のものが用意され、
被覆が必要とされる前記可溶体部の数に応じて選択した適正な挿入方向の長さの少なくとも一つの前記透明カバーが、前記窓部に装着され、前記仕切り壁の前記カバー係止部により前記窓部に結合される
ことを特徴とするヒューズユニット。
【請求項２】
前記透明カバーは、第１カバー部材と第２カバー部材とが用意され、前記仕切り壁は複数設けられ、前記複数の仕切り壁の内の一つが前記カバー係止部を装備した特定仕切り壁とされ、前記第１カバー部材は、前記窓部の一側から前記窓部に挿入装着されて前記特定仕切り壁よりも前記窓部の一側に配置されている前記可溶体部の表裏を覆うと共に前記特定仕切り壁の表面側のカバー係止部により窓部に結合され、
前記第２カバー部材は、前記窓部の他側から前記窓部に挿入装着されて前記特定仕切り壁よりも前記窓部の他側に配置されている前記可溶体部の表裏を覆うと共に前記特定仕切り壁の裏面側のカバー係止部により窓部に結合される
ことを特徴とする請求項１に記載のヒューズユニット。
【請求項３】
前記透明カバーを構成する前記第１カバー部材及び第２カバー部材は、前記窓部の表面側及び裏面側を覆う一対の透視用板部と、これらの一対の透視用板部の一端を連結した連結板部と、でコ字状の断面構造に形成されると共に、前記一対の透視用板部の内の前記カバー係止部と係合しない透視用板部は前記カバー係止部と係合する透視用板部よりも短く寸法設定され、
一方のカバー部材のカバー係止部と係合する透視用板部の端面と、他方のカバー部材のカバー係止部と係合しない透視用板部の端面と、が前記特定仕切り壁上で突き合される
ことを特徴とする請求項２に記載のヒューズユニット。
【請求項４】
前記透明カバーを構成する前記第１カバー部材及び第２カバー部材において、前記カバー係止部と係合する透視用板部の内面に装備される前記ガイドリブは終端が前記透視用板部の端面より内側に引っ込んで装備されると共に、前記カバー係止部と係合しない透視用板部の内面に装備される前記ガイドリブは終端が前記透視用板部の端面より外側に突出して装備され、
前記窓部に各カバー部材が装着されたときに、一方のカバー部材の前記カバー係止部と係合しない透視用板部から突出するガイドリブが、他方のカバー部材の前記カバー係止部と係合する透視用板部の端部で押さえられる
ことを特徴とする請求項２又は３に記載のヒューズユニット。
【発明の詳細な説明】
【技術分野】
【０００１】
本発明は、ヒューズエレメントに並列状態に装備された複数の可溶体部が露出するヒューズハウジングの窓部を透明カバーによって覆うヒューズユニットに関する。
【背景技術】
【０００２】
図１５は、下記特許文献１に開示されたヒューズユニットを示している。
【０００３】
このヒューズユニット１００は、車両のバッテリに直付けされてバッテリへの電装回路の接続に利用されるもので、ヒューズエレメント１１０と、ヒューズハウジング１２０と、透明カバー１３０と、を備える。
【０００４】
ヒューズエレメント１１０は、定格以上の電流が流れた時に溶断する４つの可溶体部１１１ａ，１１１ｂ，１１１ｃ，１１１ｄを並列状態に備えている。各可溶体部１１１ａ，１１１ｂ，１１１ｃ，１１１ｄは、電装回路に導通接続される４つの回路接続板部（不図示）を、バッテリに導通接続されるバッテリ接続板部１１２に接続している。４つの可溶体部１１１ａ，１１１ｂ，１１１ｃ，１１１ｄは、ヒューズエレメント１１０の幅方向（図１５の矢印Ｘ１方向）に並んで配置されている。
【０００５】
ヒューズハウジング１２０は、ヒューズエレメント１１０を収容すると共に、４つの可溶体部１１１ａ，１１１ｂ，１１１ｃ，１１１ｄの表裏両面を露出させた窓部１２１を有している。窓部１２１には、隣接する可溶体部間を横断する複数の仕切り壁１２２が設けられている。複数の仕切り壁１２２は、隣接する可溶体部間を隔絶している。
【０００６】
透明カバー１３０は、窓部１２１に装着されて、４つの可溶体部１１１ａ，１１１ｂ，１１１ｃ，１１１ｄを外部から視認可能に、窓部１２１の表裏両面を覆う。
透明カバー１３０は、窓部１２１の表面側を覆う第１の透視用板部１３１と、窓部１２１の裏面側を覆う第２の透視用板部１３２と、これらの一対の透視用板部１３１，１３２の一端を連結する連結板部１３３と、でコ字状の断面構造に形成されている。
【０００７】
透明カバー１３０は、図１５に矢印Ｘ２で示すように、ヒューズハウジング１２０の幅方向の一側から、窓部１２１に挿入装着されて、４つの可溶体部１１１ａ，１１１ｂ，１１１ｃ，１１１ｄの表裏を覆う。
【０００８】
透明カバー１３０における一対の透視用板部１３１，１３２の他端（自由端）には、係合部１３５が設けられている。透明カバー１３０は、窓部１２１に挿入装着した際、係合部１３５が窓部１２１に装備されたカバー係止部１２５に係合することで、窓部１２１に固定される。
【先行技術文献】
【特許文献】
【０００９】
【特許文献１】特開２０１０−２１０５５号公報
【発明の概要】
【発明が解決しようとする課題】
【００１０】
ところで、ヒューズユニット１００に装備される可溶体部１１１ａ，１１１ｂ，１１１ｃ，１１１ｄの数量は、バッテリに接続する電装回路の数量に対応して設定される。バッテリに接続する電装回路の数量は、車種や車両のグレードによって変わるため、ヒューズユニットとしても、可溶体部の装備数が異なる多種のものが用意されることになる。
【００１１】
ところが、特許文献１に開示のヒューズユニット１００は、窓部１２１の表裏両面を１つの透明カバー１３０で覆う構造のため、可溶体部の装備数の変更によって窓部１２１の寸法が変更になる場合には、透明カバー１３０も寸法変更が必要となる。
【００１２】
即ち、装備する可溶体部の数量の相異によって窓部１２１の長さ寸法（図１５の矢印Ｘ１方向の寸法）が多種化すると、それに応じて透明カバー１３０も多種化してしまうという問題があった。
【００１３】
そこで、本発明の目的は、上記課題を解消することに係り、ヒューズユニットにおいて装備される可溶体部の数量の相異により透明カバーにより覆う窓部の寸法が多種化しても、前記透明カバーの種類の増加を抑止することができるヒューズユニットを提供することにある。
【課題を解決するための手段】
【００１４】
本発明の前述した目的は、下記の構成により達成される。
（１）  定格以上の電流が流れた時に溶断する複数の可溶体部を並列状態に備えたヒューズエレメントと、前記ヒューズエレメントを収容すると共に前記複数の可溶体部の表裏両面を露出させた窓部を有したヒューズハウジングと、前記窓部に装着されて前記複数の可溶体部を外部から視認可能に覆う透明カバーと、を備えるヒューズユニットであって、
前記窓部は、隣接する可溶体部間を横断して隣接する可溶体部を隔絶する少なくとも一つの仕切り壁と、一つの前記仕切り壁の表面側及び裏面側にそれぞれ装備されるカバー係止部と、を備え、
前記透明カバーは、同一構造又は前記窓部への挿入方向の長さのみが異なる類似構造となる複数のものが用意され、
被覆が必要とされる前記可溶体部の数に応じて選択した適正な挿入方向の長さの少なくとも一つの前記透明カバーが、前記窓部に装着され、前記仕切り壁の前記カバー係止部により前記窓部に結合される
ことを特徴とするヒューズユニット。
【００１５】
（２）  前記透明カバーは、第１カバー部材と第２カバー部材とが用意され、前記仕切り壁は複数設けられ、前記複数の仕切り壁の内の一つが前記カバー係止部を装備した特定仕切り壁とされ、前記第１カバー部材は、前記窓部の一側から前記窓部に挿入装着されて前記特定仕切り壁よりも前記窓部の一側に配置されている前記可溶体部の表裏を覆うと共に前記特定仕切り壁の表面側のカバー係止部により窓部に結合され、
前記第２カバー部材は、前記窓部の他側から前記窓部に挿入装着されて前記特定仕切り壁よりも前記窓部の他側に配置されている前記可溶体部の表裏を覆うと共に前記特定仕切り壁の裏面側のカバー係止部により窓部に結合される
ことを特徴とする上記（１）に記載のヒューズユニット。
【００１６】
（３）  前記透明カバーを構成する前記第１カバー部材及び第２カバー部材は、前記窓部の表面側及び裏面側を覆う一対の透視用板部と、これらの一対の透視用板部の一端を連結した連結板部と、でコ字状の断面構造に形成されると共に、前記一対の透視用板部の内の前記カバー係止部と係合しない透視用板部は前記カバー係止部と係合する透視用板部よりも短く寸法設定され、
一方のカバー部材のカバー係止部と係合する透視用板部の端面と、他方のカバー部材のカバー係止部と係合しない透視用板部の端面と、が前記特定仕切り壁上で突き合される
ことを特徴とする上記（２）に記載のヒューズユニット。
【００１７】
（４）  前記透明カバーは、前記可溶体部側に面する内面に、前記窓部の挿入方向に沿って延在するガイドリブを備え、
前記仕切り壁は、前記ガイドリブが挿通するガイド溝を備える
ことを特徴とする上記（１）〜（３）のいずれか一つに記載のヒューズユニット。
【００１８】
（５）  前記透明カバーを構成する前記第１カバー部材及び第２カバー部材において、前記カバー係止部と係合する透視用板部の内面に装備される前記ガイドリブは終端が前記透視用板部の端面より内側に引っ込んで装備されると共に、前記カバー係止部と係合しない透視用板部の内面に装備される前記ガイドリブは終端が前記透視用板部の端面より外側に突出して装備され、
前記窓部に各カバー部材が装着されたときに、一方のカバー部材の前記カバー係止部と係合しない透視用板部から突出するガイドリブが、他方のカバー部材の前記カバー係止部と係合する透視用板部の端部で押さえられる
ことを特徴とする上記（２）〜（４）のいずれか一つに記載のヒューズユニット。
【００１９】
上記（１）の構成によれば、被覆が必要とされる可溶体部の数に応じて選択した適正な挿入方向の長さの少なくとも一つの透明カバーが、窓部に装着され、仕切り壁のカバー係止部により窓部に結合されるので、被覆する可溶体部の数が変わった場合にも、多数の透明カバーを用意せずとも少数の透明カバーを用意しておくだけで、可溶体部の被覆が可能となる。例えば、複数の透明カバーを組み合わせて用いることで、多数の可溶体部を被覆することができ、場合によっては、単体の透明カバーだけで可溶体部を被覆することができる。
【００２０】
即ち、ヒューズユニットにおいて装備される可溶体部の数量の相異により透明カバーにより覆う窓部の寸法が多種化しても、前記透明カバーの種類の増加を抑止することができる。
【００２１】
上記（２）の構成によれば、ヒューズハウジングの窓部の表裏両面を覆う透明カバーは、第１カバー部材と第２カバー部材との２つのカバー部材から構成されている。そして、それぞれのカバー部材は窓部の両側から挿入装着されるため、透明カバーのヒューズハウジングへの取り付け操作が容易で、良好な組付け性を確保することができる。
【００２２】
また、第１カバー部材と第２カバー部材とは、同一構造又は前記窓部への挿入方向の長さのみが異なる類似構造となるもので、第１カバー部材又は第２カバー部材として利用可能なカバー部材として、例えば、１つの可溶体部を覆う長さを有した１個被覆用カバー部材、２つの可溶体部を覆う長さを有した２個被覆用カバー部材、３つの可溶体部を覆う長さを有した３個被覆用カバー部材の３種のものを用意しておくと、これらの３種のカバー部材を組み合わせて使うことで、可溶体部の装備数が２〜６の５種の窓部に対応することができる。
【００２３】
上記（３）の構成によれば、１つの窓部に、その両側から挿入装着される第１カバー部材と第２カバー部材とは、窓部への取り付けが完了した状態では、互いの透視用板部の端面同士が特定仕切り壁上で突き合された状態となり、第１カバー部材と第２カバー部材との間に美観を損ねる隙間や段差が形成されない。従って、透明カバーで覆われた窓部の外周の美観を向上させることができる。
【００２４】
上記（４）の構成によれば、第１カバー部材や第２カバー部材を窓部に挿入装着する際には、各カバー部材の内面に装備したガイドリブが窓部に装備されているガイド溝に係合することで各カバー部材の振れが抑止されるため、各カバー部材の挿入操作を安定させることができ、各カバー部材の組付け性を向上させることができる。
【００２５】
また、各カバー部材の透視用板部の剛性がガイドリブの装備によって向上するため、透視用板部の薄肉化等による軽量化が図り易い。
【００２６】
上記（５）の構成によれば、窓部の両側から挿入装着された第１カバー部材と第２カバー部材は、カバー係止部と係合しない透視用板部から突出するガイドリブが、他方のカバー部材のカバー係止部と係合する透視用板部の端部で押さえられて、カバー係止部と係合しない透視用板部もしっかりと窓部に止めることができ、各カバー部材の取り付け安定性を向上させることができる。
【発明の効果】
【００２７】
本発明によるヒューズユニットによれば、被覆が必要とされる可溶体部の数に応じて選択した適正な挿入方向の長さの少なくとも一つの透明カバーが、窓部に装着され、仕切り壁のカバー係止部により窓部に結合されるので、被覆する可溶体部の数が変わった場合にも、多数の透明カバーを用意せずとも少数の透明カバーを用意しておくだけで、可溶体部の被覆が可能となる。例えば、複数の透明カバーを組み合わせて用いることで、多数の可溶体部を被覆することができ、場合によっては、単体の透明カバーだけで可溶体部を被覆することができる。
【００２８】
即ち、ヒューズユニットにおいて装備される可溶体部の数量の相異により透明カバーにより覆う窓部の寸法が多種化しても、前記透明カバーの種類の増加を抑止することができる。
【図面の簡単な説明】
【００２９】
【図１】本発明に係るヒューズユニットの第１実施形態の分解斜視図である。
【図２】図１に示したヒューズユニットの組み立て完了状態の斜視図である。
【図３】第１実施形態のヒューズユニットの透明カバーを外した状態の裏面図である。
【図４】図３のＡ矢視図である。
【図５】図４のＢ矢視図である。
【図６】図４のＣ−Ｃ断面図である。
【図７】第１実施形態のヒューズユニットにおいて、第１カバー部材及び第２カバー部材として使用される２個被覆用カバー部材の斜視図である。
【図８】図７に示したカバー部材の上面図である。
【図９】図７に示したカバー部材の正面図である。
【図１０】図７のＤ矢視図である。
【図１１】窓部を覆う状態に２つのカバー部材が突き合された状態の斜視図である。
【図１２】図１１のＥ矢視図である。
【図１３】本発明に係るヒューズユニットの第２実施形態を示し、図１３（ａ）は２つの可溶体部が並列に配置されると共に図１に示した２個被覆用カバー部材によって２つの可溶体部の表裏が覆われる窓部のユニットの斜視図、図１３（ｂ）は図１３（ａ）のＦ矢視図である。
【図１４】図１４（ａ）は図１３に示した窓部が図７の２個被覆用カバー部材で覆われた状態の斜視図、図１４（ｂ）は（ａ）のＧ矢視図である。
【図１５】従来のヒューズユニットの分解斜視図である。
【発明を実施するための形態】
【００３０】
以下、本発明に係るヒューズユニットの好適な実施形態について、図面を参照して詳細に説明する。
【００３１】
図１〜図１２は本発明に係るヒューズユニットの第１実施形態を示したもので、図１は本発明の第１実施形態のヒューズユニットの分解斜視図、図２は図１に示したヒューズユニットの組み立て完了状態の斜視図、図３は第１実施形態のヒューズユニットの透明カバーを外した状態の裏面図、図４は図３のＡ矢視図、図５は図４のＢ矢視図、図６は図４のＣ−Ｃ断面図、図７は第１実施形態のヒューズユニットにおいて、第１カバー部材及び第２カバー部材として使用される２個被覆用カバー部材の斜視図、図８は図７に示したカバー部材の上面図、図９は図７に示したカバー部材の正面図、図１０は図７のＤ矢視図、図１１は窓部を覆う状態に２つのカバー部材が突き合された状態の斜視図、図１２は図１１のＥ矢視図である。
【００３２】
この第１実施形態のヒューズユニット１は、車両のバッテリに直付けされてバッテリへの電装回路の接続に利用されるもので、図１に示すように、ヒューズエレメント１０と、ヒューズハウジング２０と、透明カバー３０と、を備える。
【００３３】
ヒューズエレメント１０は、図６に示すように、バッテリに導通接続されるバッテリ接続板部１１と、電装回路に導通接続される４つの回路接続板部１３ａ，１３ｂ，１３ｃ，１３ｄ（図６参照）と、バッテリ接続板部１１の一側縁１１ａに並列に装備された４つの可溶体部１２ａ，１２ｂ，１２ｃ，１２ｄと、を備える。４つの可溶体部１２ａ，１２ｂ，１２ｃ，１２ｄは、ヒューズエレメント１０の幅方向（図６の矢印Ｘ４方向）に略等間隔に並んで配置されている。４つの可溶体部１２ａ，１２ｂ，１２ｃ，１２ｄは、図６に示すように、４つの回路接続板部１３ａ，１３ｂ，１３ｃ，１３ｄをバッテリ接続板部１１に導通接続すると共に、定格以上の電流が流れた時に溶断することで、回路接続板部１３ａ，１３ｂ，１３ｃ，１３ｄに接続されている電装回路を保護する。
【００３４】
ヒューズハウジング２０は、ヒューズエレメント１０を収容する樹脂製ケースで、図６に示すように、バッテリ接続板部１１を収容する第１ハウジング部２２と、４つの回路接続板部１３ａ，１３ｂ，１３ｃ，１３ｄを収容する第２ハウジング部２３と、４つの可溶体部１２ａ，１２ｂ，１２ｃ，１２ｄの表裏両面を露出させた窓部２４を有している。
【００３５】
窓部２４には、図１及び図３に示すように、２つの仕切り壁２５，２５と、１つの特定仕切り壁２６との、３つの仕切り壁２５，２５，２６が設けられている。
【００３６】
これらの３つの仕切り壁２５，２５，２６は、隣接する可溶体部間を横断して、隣接する可溶体部を隔絶している。即ち、３つの仕切り壁２５，２５，２６は、窓部２４内を各可溶体部毎に分断した空間に仕切っていて、溶断した可溶体部の飛散を防止する。
【００３７】
更に詳しく説明すると、特定仕切り壁２６は、図３に示すように、窓部２４の幅方向（図１の矢印Ｘ３方向）の中央部に配置されていて、４つの可溶体部１２ａ，１２ｂ，１２ｃ，１２ｄを、窓部２４の一側（図１では左側）に位置する２つと、他側（図１では右側）に位置する２つに分けている。２つの仕切り壁２５は、特定仕切り壁２６により２つずつに分けられた可溶体部間に配置されている。
【００３８】
特定仕切り壁２６は、隣接する可溶体部を隔絶する作用の点では、他の仕切り壁２５と同様である。しかし、特定仕切り壁２６は、後述するカバー３０を係止するためのカバー係止部２６ａを備えた点が、仕切り壁２５とは相異している。
【００３９】
本実施形態のカバー係止部２６ａは、突片状で、図４に示すように、特定仕切り壁２６の表面側及び裏面側にそれぞれ突出して装備されている。
【００４０】
透明カバー３０は、窓部２４に装着されて、４つの可溶体部１２ａ，１２ｂ，１２ｃ，１２ｄを外部から視認可能に覆う。
【００４１】
本実施形態の場合、透明カバー３０は、図１に示すように、第１カバー部材３２と第２カバー部材３３との２つのカバー部材に分割されて構成されている。
【００４２】
第１カバー部材３２は、図１に矢印Ｆ１で示すように、窓部２４の一側（図１では、左側）から窓部２４に挿入装着されて、特定仕切り壁２６よりも窓部２４の一側（図１では、左側）に配置されている２つの可溶体部１２ａ，１２ｂの表裏を覆うと共に、特定仕切り壁２６の表面側のカバー係止部２６ａと係合することによって、窓部２４に結合される。
【００４３】
第２カバー部材３３は、図１に矢印Ｆ２で示すように、窓部２４の他側（図１では、右側）から窓部２４に挿入装着されて、特定仕切り壁２６よりも窓部２４の他側（図１では、右側）に配置されている２つの可溶体部１２ｃ，１２ｄの表裏を覆うと共に、特定仕切り壁２６の裏面側のカバー係止部２６ａと係合することによって、窓部２４に結合される。
【００４４】
本実施形態の場合、第１カバー部材３２及び第２カバー部材３３は、いずれも、窓部２４内に並ぶ２つの可溶体部を覆う長さ（窓部２４の幅方向に沿う長さ）を有した２個被覆用カバー部材であり、全くの同一構造に形成されている。
【００４５】
第１カバー部材３２及び第２カバー部材３３は、窓部２４の表面側あるいは裏面側を覆う一対の透視用板部３Ａ，３Ｂと、これらの一対の透視用板部３Ａ，３Ｂの一端を連結した連結板部３Ｃと、でコ字状の断面構造に形成されている。一対の透視用板部３Ａ，３Ｂの内、一方の透視用板部３Ａは、先端部に、カバー係止部２６ａと係合することによって窓部２４への固定を果たす係合部３Ｄが設けられている。係合部３Ｄは、カバー係止部２６ａが嵌入する切欠穴である。
【００４６】
一対の透視用板部３Ａ，３Ｂの内、他方の透視用板部３Ｂは、一方の透視用板部３Ａより短く寸法設定されていて、カバー係止部２６ａとは係合しない。また、他方の透視用板部３Ｂには、係合部３Ｄが装備されていない。
【００４７】
また、本実施形態の場合、第１カバー部材３２と第２カバー部材３３とが窓部２４に正常に装着されると、図１１及び図１２に示すように、カバー係止部２６ａと係合する透視用板部３Ａの端面と、第２カバー部材３３のカバー係止部２６ａと係合しない透視用板部３Ｂの端面と、が前記特定仕切り壁２６上で突き合される。
【００４８】
更に、本実施形態の第１カバー部材３２及び第２カバー部材３３の透視用板部３Ａ，３Ｂは、図７及び図８に示すように、可溶体部１２ａ，１２ｂ，１２ｃ，１２ｄ側に面する内面に、窓部２４の挿入方向に沿って延在するガイドリブ３Ｅを備える。ガイドリブ３Ｅは、各透視用板部３Ａ及び透視用板部３Ｂの上部及び下部の２箇所に装備されている。
【００４９】
透視用板部３Ａ，３Ｂの内面にガイドリブ３Ｅを装備したことに伴い、窓部２４の仕切り壁２５は、図１及び図５に示すように、ガイドリブ３Ｅが挿通するガイド溝２５Ｅを備える。また、特定仕切り壁２６も、ガイドリブ３Ｅが挿通するガイド溝２６Ｅを備える。また、窓部２４の外枠となっている外側壁２４ａも、ガイドリブ３Ｅが挿通するガイド溝２４Ｅを備える。
【００５０】
更に、本実施形態の場合、図８に示すように、第１カバー部材３２及び第２カバー部材３３において、カバー係止部２６ａと係合する透視用板部３Ａの内面に装備されるガイドリブ３Ｅは、終端が透視用板部３Ａの端面より内側に寸法Ｌ１だけ引っ込んで装備されている。また、カバー係止部２６ａと係合しない透視用板部３Ｂの内面に装備されるガイドリブ３Ｅは、終端が透視用板部３Ｂの端面より外側に寸法Ｌ２だけ突出して装備されている。寸法Ｌ１＞寸法Ｌ２に設定されている。
【００５１】
図８に示すように各透視用板部３Ａ，３Ｂの内面のガイドリブ３Ｅを設定したことによって、窓部２４に各カバー部材３２，３３が装着されたときに、図１２に示すように、一方のカバー部材のカバー係止部２６ａと係合しない透視用板部３Ｂから突出するガイドリブ３Ｅが、他方のカバー部材のカバー係止部２６ａと係合する透視用板部３Ａの端部で押さえられる。
【００５２】
また、本実施形態の窓部２４において、特定仕切り壁２６の部分では、第１カバー部材３２と第２カバー部材３３との当接部に隙間が生じるおそれがあり、隙間から窓部２４内に水が浸入するおそれがある。しかし、特定仕切り壁２６が第１カバー部材３２の内面と第２カバー部材３３の内面に接しているので、水が窓部２４内に浸入することがない。仮に、水が窓部２４内に浸入したとしても、特定仕切り壁２６の両側には、図示しない水抜き穴が設けられているので、窓部２４内に浸入した水は水抜き穴から排出される。そのため、雨滴等が窓部２４内に浸入した場合に、速やかに排出することができる。
【００５３】
以上に説明した第１実施形態のヒューズユニット１では、ヒューズハウジング２０の窓部２４の表裏両面を覆う透明カバー３０は、第１カバー部材３２と第２カバー部材３３との２つのカバー部材から構成されている。そして、それぞれのカバー部材３２，３３は窓部２４の両側から挿入装着されるため、透明カバー３０のヒューズハウジング２０への取り付け操作が容易で、良好な組付け性を確保することができる。
【００５４】
また、以上に説明した第１実施形態のヒューズユニット１では、第１カバー部材３２と第２カバー部材３３とは、同一構造となっているが、窓部２４への挿入方向の長さのみが異なる類似構造としても良い。
【００５５】
そして、第１カバー部材３２又は第２カバー部材３３として利用可能なカバー部材として、例えば、上記実施形態に示したように２つの可溶体部を覆う長さを有した２個被覆用カバー部材の他に、１つの可溶体部を覆う長さを有した１個被覆用カバー部材と、３つの可溶体部を覆う長さを有した３個被覆用カバー部材と、を予め用意しておくと、これらの３種のカバー部材を組み合わせて使うことで、可溶体部の装備数が２〜６の５種の窓部２４に対応することができる。
【００５６】
即ち、ヒューズユニット１において装備される可溶体部の数量の相異により透明カバー３０により覆う窓部２４の寸法が多種化しても、前記透明カバー３０の種類の増加を抑止することができる。
【００５７】
また、以上に説明した第１実施形態のヒューズユニット１では、１つの窓部２４に、その両側から挿入装着される第１カバー部材３２と第２カバー部材３３とは、窓部２４への取り付けが完了した状態では、互いの透視用板部３Ａ，３Ｂの端面同士が特定仕切り壁２６上で突き合された状態となり、第１カバー部材３２と第２カバー部材３３との間に美観を損ねる隙間や段差が形成されない。従って、透明カバー３０で覆われた窓部２４の外周の美観を向上させることができる。
【００５８】
また、以上に説明した第１実施形態のヒューズユニット１では、第１カバー部材３２や第２カバー部材３３を窓部２４に挿入装着する際には、各カバー部材の内面に装備したガイドリブ３Ｅが窓部２４に装備されているガイド溝２５Ｅに係合することで各カバー部材の振れが抑止されるため、各カバー部材３２，３３の挿入操作を安定させることができ、各カバー部材３２，３３の組付け性を向上させることができる。
【００５９】
また、各カバー部材３２，３３の透視用板部３Ａ，３Ｂの剛性がガイドリブ３Ｅの装備によって向上するため、透視用板部の薄肉化等による軽量化が図り易い。
【００６０】
また、以上に説明した第１実施形態のヒューズユニット１では、窓部２４の両側から挿入装着された第１カバー部材３２と第２カバー部材３３は、カバー係止部２６ａと係合しない透視用板部３Ｂから突出するガイドリブ３Ｅが、他方のカバー部材のカバー係止部２６ａと係合する透視用板部３Ａの端部で押さえられて、カバー係止部２６ａと係合しない透視用板部３Ｂもしっかりと窓部２４に止めることができ、各カバー部材３２，３３の取り付け安定性を向上させることができる。
【００６１】
次に、本発明のヒューズユニットの第２実施形態を説明する。
図１３（ａ），図１３（ｂ）及び図１４（ａ），図１４（ｂ）は、本発明のヒューズユニットの第２実施形態における窓部とカバー部材とを示したものである。
【００６２】
図１３（ａ），図１３（ｂ）及び図１４（ａ），図１４（ｂ）に示した窓部２４Ａは、２つの可溶体部が並列に配置される窓部のユニットで、図１に示した２個被覆用カバー部材３２を単体で用いることで、２つの可溶体部が外部から視認可能に覆われる。なお、図１３（ａ），図１３（ｂ）及び図１４（ａ），図１４（ｂ）に示した窓部２４Ａにおいて、図１に示した窓部２４と共通の構成については、同番号を付して説明を省略する。
【００６３】
図１３（ａ），図１３（ｂ）及び図１４（ａ），図１４（ｂ）に示した窓部２４Ａは、窓部２４Ａの外枠となっている外側壁２４ａに、透視用板部３Ｂから突出したガイドリブ３Ｅが挿通するガイド溝２４Ｅを備える。更に、仕切り壁２５には、ガイドリブ３Ｅが挿通するガイド溝２５Ｅが設けられ、特定仕切り壁２６には、ガイドリブ３Ｅが嵌入する係止孔２６Ｆが設けられている。透視用板部３Ｂから突出したガイドリブ３Ｅが係止孔２６Ｆに嵌入することで、他方のカバー部材からの押さえが無くとも、透視用板部３Ｂの端部が窓部２４Ａから浮き上がることを確実に防止することができる。
【００６４】
第２実施形態のように、被覆が必要な可溶体部が２個だけの場合は、２個被覆用のカバー部材３２を単体で用いるだけでよく、ヒューズユニット全体の構成の簡略化、軽量化が図れる。
【００６５】
なお、本発明のヒューズユニットは、前述した実施形態に限定されるものでなく、適宜な変形、改良等が可能である。
【００６６】
例えば、前述した第１実施形態では、透明カバーを構成する２つのカバー部材は同一構造としたが、窓部における特定仕切り壁の配置を中央から片側にずらした構成として、窓部への挿入方向の長さのみが異なる類似構造の２つのカバー部材を組み合わせるようにしても良い。
【符号の説明】
【００６７】
１  ヒューズユニット
３Ａ  透視用板部
３Ｂ  透視用板部
３Ｃ  連結板部
３Ｄ  係合部
３Ｅ  ガイドリブ
１０  ヒューズエレメント
１２ａ，１２ｂ，１２ｃ，１２ｄ  可溶体部
２０  ヒューズハウジング
２４  窓部
２４Ｅ  ガイド溝
２５  仕切り壁
２５Ｅ  ガイド溝
２６  特定仕切り壁（仕切り壁）
２６ａ  カバー係止部
２６Ｅ  ガイド溝
２６Ｆ  係止孔
３０  透明カバー
３２  第１カバー部材（２個被覆用カバー部材）
３３  第２カバー部材（２個被覆用カバー部材）
【図１】
2013038009.tif 000003
【図２】
2013038009.tif 000004
【図３】
2013038009.tif 000005
【図４】
2013038009.tif 000006
【図５】
2013038009.tif 000007
【図６】
2013038009.tif 000008
【図７】
2013038009.tif 000009
【図８】
2013038009.tif 000010
【図９】
2013038009.tif 000011
【図１０】
2013038009.tif 000012
【図１１】
2013038009.tif 000013
【図１２】
2013038009.tif 000014
【図１３】
2013038009.tif 000015
【図１４】
2013038009.tif 000016
【図１５】
2013038009.tif 000017